(57)【要約】患者データが符号化され、ネットワークを介してデータベースを備える中央サーバに送信され、そしてサーバの格納ユニットに格納され、符号化されたデータは変換され患者が保持するデータキャリアに印刷され、さらに符号化されたデータは読み取りユニットを介してデータキャリアから読み出され、復号器によって判読できる形態に変換される、データキャリア上の患者データを安全に送信する方法。データキャリアは、ユーザによって携帯されるか、ユーザの個人所有物に取り付けられるステッカーを備え、ステッカーは情報キャリアとしてステッカー上に印刷される二次元コードを有する。
2004528652.tif 000002
【特許請求の範囲】
【請求項１】
患者データが符号化され、ネットワークを介してデータベースを備える中央サーバに送信され、前記患者データは前記サーバの格納ユニットに格納され、符号化されたデータは変換され患者が保持するデータキャリア上に印刷され、前記符号化されたデータは読み取りユニットを介して前記データキャリアから読み出され、復号器によって判読できる形態に変換される、データキャリア上の患者データを安全に送信する方法であって、前記データキャリアは、ユーザによって携帯されるか、ユーザの個人所有物に取り付けられるステッカーを備え、前記ステッカーは情報キャリアとして前記ステッカー上に印刷される二次元コードを有することを特徴とする、データキャリア上の患者データを安全に送信する方法。
【請求項２】
前記二次元コードを有する前記ステッカーは、腕時計や宝飾品などの裏や、他のカードと共に保管されるカードに取り外し可能に貼り付けられることを特徴とする、請求項１に記載の、データキャリア上の患者データを安全に送信する方法。
【請求項３】
前記データキャリア上の符号化されたデータは、バーコード、蛍光ラベル／タブ、デジタルチップなどであることを特徴とする、請求項２に記載の、データキャリア上の患者データを安全に送信する方法。
【請求項４】
前記二次元コードは、例えば１０ｘ１０ｍｍのサイズであり、この上に、個人に関して入手可能なすべての医療情報を格納できることを特徴とする、請求項２または３に記載の、データキャリア上の患者データを安全に送信する方法。
【請求項５】
前記復号器は前記データキャリアから読み取られたデータを変換し、患者データを判読できるよう印刷するプリンタに接続されていることを特徴とする、請求項２乃至４のいずれかに記載の、データキャリア上の患者データを安全に送信する方法。
【請求項６】
前記コードは約２５％までのダメージに耐えられ、自動的に自己回復し、汚れや破損が起こっても前記患者データは依然として判読可能であることを特徴とする、請求項２乃至４のいずれかに記載の、データキャリア上の患者データを安全に送信する方法。
【請求項７】
患者に医療行為を施した後、前記患者データは更新され、前記ネットワークを介してＷＭＣに送信され、ただちに前記患者の主治医に渡され、その後前記患者データは更新され、符号化され、前記ネットワークを介して前記中央サーバに送信され、ただちに新しいデータが前記サーバの前記格納ユニットに格納され、新しく符号化されたデータは二次元形態に変換され、前記患者が保持するよう新しいデータキャリア上に印刷されることを特徴とする、請求項１乃至６のいずれかに記載の、データキャリア上の患者データを安全に送信する方法。
【発明の詳細な説明】
【技術分野】
【０００１】
本発明は、データキャリア上の患者データを安全に転送する方法に関する。データキャリアの患者データは符号化されており、ネットワークを介してデータベースを備える中央サーバに送信され、サーバの記憶ユニットに記憶される。符号化されたデータは変換され、患者が所有するデータキャリア上に印刷される。そして符号化されたデータは医者によって読み出しユニットを介してデータキャリアから読み出され、判読できる形態に変換される。
【背景技術】
【０００２】
欧州特許公開公報第４２３，８９３号明細書から、ヘルスセンターで患者関連情報を記憶したりモニタしたりする方法が公知である。各患者は読み出しや再プログラムが可能な患者関連電子データキャリアを与えられ、患者関連データは局所的には患者関連電子データキャリア内に、中央的には中央コンピュータに保存される。局所的に保存されたデータは特定の状況下で中央に保存されたデータと比較され、必要に応じてこの２種類のデータの整合がとられる。
【０００３】
同様のシステムがドイツ特許公開公報第１９８４０００５号明細書から公知である。この公報は、入力装置と、出力装置と、入出力用に患者のメールボックスを保持する記憶格納ユニットとを備える通信システムを開示している。入力装置はインターフェースを介してバーコード形態のカードや患者のチップカードの端子に接続され、また他のインターフェースと通信端子とを介して記憶格納ユニットに接続される。このシステムは、病院や医療施設のシステムにおいて患者についての詳細を確認するために用いられる。
【発明の開示】
【発明が解決しようとする課題】
【０００４】
本発明は、国際的な概念をもって、患者がなんらかの医療行為を受けるときに、患者の安全を考慮するものである。本発明のシステムによれば、よりよい診断と治療の基準とが提供され、故に患者がどこにいても、正しい投薬が行われる。急患の際には、診察した医者が患者の病歴、投薬状況、または薬剤に対するアレルギーや反応について何一つ知らないことがしばしば問題となる。これは特に、海外で病気になったときにあてはまる。
【０００５】
このような命に関わる情報は、誤った治療や誤った投薬を避けるために重要である。この問題は急激に増加し、不幸なことに患者の命が失われることになりかねない問題である。米国では、これは社会問題とされている。
【０００６】
本発明の目的は、患者データをその患者を扱う全ての医者が入手し得るようにすることである。さらに、このシステムは患者のプライバシーを完全に保護することを保証するものである。このシステムの創設者は、ウェブベースのサービスセンターが各国に作られ、地方の医者、救急システム、救急施設、病院などのネットワークが立ち上げられることを予見している。これらは認可され、中央サーバと双方向のウェブ通信を行うのに必要なプログラムと装置が備えられている。
【課題を解決するための手段】
【０００７】
このシステムの重要な点は、患者の主治医が診療記録を作成し、この診療記録の重要な部分が構造化された薬剤カード（メディカルカード）に読み込まれる。カードは患者の診断結果、傷病歴、薬剤の使用状況、薬剤に対するアレルギーや反応を収納する。登録が終わると、医者は患者が自身によってデータのコントロールをできるように、カード上の情報のコピーを渡す。その後、医者はデータベースにデータが格納されているセントラルサーバを介してカード上の情報を送信する。送信前にデータは自動的に暗号化され、患者のプライバシーは保証される。
【０００８】
登録された患者は、新しいデータを受け取り、そのデータは、データベースに格納されると共に医者が受け取る。さらに、患者は同じ情報を含んだ二次元コードを受け取る。本発明によれば、このコードは患者が必要なデータを常に携帯するために重要なものである。コードは自動接着性手段に取り付け、例えば腕時計の裏に貼り付けたり、他のカードと共に保管されるカード上に貼り付けたりすることができる。
【０００９】
このシステムの利点は、施設における日常的な処理や、在宅介護や、往診の際に、医者や看護士の品質保証として機能できることにある。例えば海外で何か起きたときには、治療が必要は人はこのシステムに接続された医者、救急施設または病院に連絡をとることができる。例えば腕時計の裏に貼り付けられたコード内に格納されているパーソナルコードがデジタル読み出しされ、患者の医療データについての直接的な情報を与え、治療を直ちに開始することができる。
【００１０】
患者データを格納する中央データベースと共に、例えば異なる薬剤間の有害な相互作用を指摘することができる完全薬剤データベースを備えることも可能である。これにより、もし医者が、患者が服用している他の薬剤に作用する薬剤を処方しようとすると、自動警告が発せられる。このような自動警告は、情報がカードかデータベースそのものに書き込まれたときに発せられる。
【００１１】
治療後、医者は行った治療と処方した薬剤とをデータベースに送信およびロードし、これは直ちにサービスセンター経由で患者の主治医に送られる。データベースは自動的に更新され、診療記録に変更があった場合は患者に新しいカードと新しいコードが送られる。
【発明の効果】
【００１２】
このシステムは、個人レベルでも大きな利益をもたらし、産業、保険会社等に経済上の意味をもたせる。さらに、長期欠勤者や生活保護者を減らし、すでに過負荷に陥っている保険制度の荷を軽くすることもできるため、社会的にも経済的である。
【発明を実施するための最良の形態】
【００１３】
本発明は、データキャリア上の患者データを安全に転送する方法に関する。データキャリアの患者データは符号化されており、ネットワークを介してデータベースを備える中央サーバに送信され、サーバの記憶ユニットに記憶される。符号化されたデータは変換され、患者が所有するデータキャリア上に印刷される。そして符号化されたデータは医者によって読み出しユニットを介してデータキャリアから読み出され、判読できる形態に変換される。データキャリアは、ユーザによって持ち運びができ、またはユーザの個人的所有物に備え付けられるステッカーを有し、このステッカー上には情報キャリアとしての二次元コードが印刷されている。
【００１４】
本発明の好適な実施形態では、二次元コードを有するステッカーは腕時計や宝飾品の裏側など、または他のカードと共に保管できるカードに取り外し可能に貼り付けることができる。データキャリア上の符号化されたデータは、バーコード、蛍光ラベル・タブ、デジタルチップなどを含む。さらに、二次元コードは例えば１０ｘ１０ｍｍのサイズに設定され、この上に個人に関係する全ての入手可能な医療情報が格納される。付加的な保障として、コードは２５％程度までのダメージに耐え、自動的に自己回復する。よって汚れたり破損したりした後でも、患者データを依然として読みとることができる。
【００１５】
本発明によれば、復号器はデータキャリアから読みとられたデータを変換する。また復号器は患者データを識別できる形で印刷するプリンタに接続されている。
【００１６】
患者に医療行為が行われた後、患者データは更新され、ネットワークを介してＷＭＣに転送される。そしてすぐにデータは患者の主治医に送られる。その後患者データは更新され、符号化され、ネットワークを介してセントラルサーバに送られる。そしてただちに新しいデータはサーバの格納ユニット内に格納され、新しく符号化されたデータは二次元形態に変換され、患者が保持する新しいデータキャリアに印刷される。
【００１７】
次に、本発明によるシステムを示す添付の図面を参照しながら本発明をさらに説明する。
【００１８】
図は、本発明によるシステムの構成を示す。中央に位置するのは「世界医療センター」（Ｗｏｒｌｄ  Ｍｅｄｉｃａｌ  Ｃｅｎｔｒｅ＝ＷＭＣ）であり、これはシステムに登録している各患者の患者データを格納する中央データベースから成っている。患者の主治医は診療記録を自分のオフィス内に保管する。診療記録の情報の重要な部分は暗号化され、ネットワークを介してＷＭＣの中央データベースに転送され、構造化された医療カードにロードされる。医療カードは患者の診断内容、病気／怪我の内容、投薬状況、薬剤に対するアレルギーや反応などの情報を含む。送信前に、データは自動的に暗号化され、患者のプライバシーは保たれる。
【００１９】
登録された患者は、新しいデータを受け取り、そのデータは、データベースに格納されると共に医者が受け取る。医療カードに加えて、患者は、例えば同じ情報を含んだ２次元コードなどのデータキャリアをも受け取る。このコードは、例えば腕時計や宝飾品の裏など、または他のカードと共に保管されるカード上に貼り付けることができる自動接着手段上に備え付けられてもよい。またデータキャリアは、バーコード、蛍光タブ、デジタルチップなど、当業者に周知の他のタイプのコードシステムから成ってもよい。この形態のコードの目的は、他の物体に備え付けることができ、簡単に保管できることである。
【００２０】
患者データを格納する、ＷＭＣ内の中央データベースと連動して、例えば異なる薬剤間の有害な相互作用を指摘することができる、完全な薬剤データベースが備えられてもよい。これにより、患者が用いている他の薬剤に反応する薬剤を医者が処方しようとした場合、自動的に警告が発せられる。この自動警告は、情報がカードに書き込まれるとき、またはデータベース自体に書き込まれるときに発せられともよい。
【００２１】
本実施形態では、暗号化された情報キャリアの形の二次元コードを用いるものとしてシステムが開発されている。このコードは例えば約２５％のダメージに耐えられ、自動的に自己再生するため、汚れたり破損した後でも情報を判読することができる。コードの一部は、認可無しに情報を読みとることができないように自己を暗号化するために用いられる。符号化された情報がシステム内で送受信されるときは、すべて自動的に暗号化または復号化される。これは、例えばプリンタ、モニタ、中央データベースなどへの送信を含む。
【００２２】
コードは例えば、腕時計や宝飾品などの裏に取り付けることができる、ステッカー上に印刷できる。さらに、コードはカード、クレジットカード、キャッシュカード上に印刷することができる。コードを読み取るために、特別な読み取りユニットが開発されている。この読み取りユニットは、復号器を備えた携帯型スキャナーの形でよい。これを用いることにより、ステッカー上の暗号化された情報を簡単に読み取ることができる。
【００２３】
コードと復号器は、認可された者だけがコードを読むことができるように構成されている。コードは、例えば１０ｘ１０ｍｍよりも大きい必要はなく、個人にとって重要な、使用可能な薬剤情報を格納することができる。
【００２４】
このシステムは、好ましくはインターネットベースであるネットワーク内に置かれる中央データベースを備える。データベースに格納されるデータは、暗号化され、人々／患者が常に携帯するステッカー上に印刷される。医療行為が行われるときには、復号器を備えるスキャナーが用いられ、患者の主治医、すなわち認可された医療従事者以外の者がステッカー上あるいは同じ情報を有するカード上のデータを読みとる。
【００２５】
治療が終わると、医者は行った処置と処方した薬剤をデータベースに入力し、それはＷＭＣの中央データベースに送られ、そこに格納される。その後、データはサービスセンター経由で患者の主治医に送られる。データベースは自動的に更新され、診療記録に変更があった場合は、患者は新しいカードと新しいコードとを受け取る。
【図面の簡単な説明】
【００２６】
【図１】
2004528652.tif 000003
【国際公開パンフレット】
2004528652.tif 000004
2004528652.tif 000005
2004528652.tif 000006
2004528652.tif 000007
2004528652.tif 000008
2004528652.tif 000009
2004528652.tif 000010
2004528652.tif 000011
2004528652.tif 000012
2004528652.tif 000013
2004528652.tif 000014
2004528652.tif 000015
【手続補正書】
【提出日】平成15年4月28日(2003.4.28)
【手続補正１】
【補正対象書類名】特許請求の範囲
【補正対象項目名】全文
【補正方法】変更
【補正の内容】
【特許請求の範囲】
【請求項１】
患者データが符号化され、ネットワークを介してデータベースを備える中央サーバに送信され、前記患者データは前記サーバの格納ユニットに格納され、符号化されたデータは変換され患者が保持するデータキャリアに印刷され、前記符号化されたデータは読み取りユニットを介して前記データキャリアから読み出され、復号器によって判読できる形態に変換される、データキャリア上の患者データを安全に送信する方法であって、
前記データキャリアをステッカーとして製造する工程と、
情報キャリアとして二次元コードを前記ステッカー上に印刷する工程とを備え、
前記ステッカーはユーザが保持するか、ユーザの個人所有物に備えられることを特徴とする、データキャリア上の患者データを安全に送信する方法。
【請求項２】
前記二次元コードを有する前記ステッカーは、腕時計や宝飾品などの裏や、他のカードと共に保管されるカードに取り外し可能に貼り付けられることを特徴とする、請求項１に記載の、データキャリア上の患者データを安全に送信する方法。
【請求項３】
前記データキャリア上の符号化されたデータは、バーコード、蛍光ラベル／タブ、デジタルチップなどであることを特徴とする、請求項２に記載の、データキャリア上の患者データを安全に送信する方法。
【請求項４】
前記二次元コードは、例えば１０ｘ１０ｍｍのサイズであり、この上に、個人に関して入手可能なすべての医療情報を格納できることを特徴とする、請求項２または３に記載の、データキャリア上の患者データを安全に送信する方法。
【請求項５】
前記復号器は前記データキャリアから読み取られたデータを変換し、患者データを判読できるよう印刷するプリンタに接続されていることを特徴とする、請求項２乃至４のいずれかに記載の、データキャリア上の患者データを安全に送信する方法。
【請求項６】
前記コードは約２５％までのダメージに耐えられ、自動的に自己回復し、汚れや破損が起こっても前記患者データは依然として判読可能であることを特徴とする、請求項２乃至４のいずれかに記載の、データキャリア上の患者データを安全に送信する方法。
【請求項７】
患者に医療行為を施した後、前記患者データは更新され、前記ネットワークを介してＷＭＣに送信され、ただちに前記患者の主治医に渡され、その後前記患者データは更新され、符号化され、前記ネットワークを介して前記中央サーバに送信され、ただちに新しいデータが前記サーバの前記格納ユニットに格納され、新しく符号化されたデータは二次元形態に変換され、前記患者が保持するよう新しいデータキャリア上に印刷されることを特徴とする、請求項１乃至６のいずれかに記載の、データキャリア上の患者データを安全に送信する方法。
【国際調査報告】
2004528652.tif 000016
2004528652.tif 000017
2004528652.tif 000018